【手続補正書】
【提出日】平成16年7月9日(2004.7.9)
【手続補正１】
【補正対象書類名】明細書
【補正対象項目名】全文
【補正方法】変更
【補正の内容】
【書類名】        明細書
【発明の名称】    集塵脱臭装置
【特許請求の範囲】
【請求項１】  遊技場室内に設置される集塵脱臭装置において、
個別の遊技機と対面する遊技者の近傍への配置となるよう前記遊技機に設置される灰皿と、
当該灰皿に穿設されて、該灰皿内の空気と共にタバコの煙及び粉塵を吸引する吸引孔と、
前記吸引孔を介して前記灰皿と連通し、該灰皿から吸引された空気から煙及び粉塵を分離する濾過器と、を有する集塵脱臭装置であって、
前記濾過器にはその排気口側にブロアモータを装備しており、当該ブロアモータによって該濾過器の吸引口側に連通する灰皿内を負圧にし、当該灰皿に穿設した吸引孔から該灰皿内の煙と共に粉塵を吸引して、これら煙及び粉塵を分離した空気を該濾過器の排気口から前記遊技場室内に排気することを特徴とする集塵脱臭装置。
【請求項２】  遊技場室内に設置される集塵脱臭装置において、
複数の遊技機が載置される台の下部に配置されて、前記遊技機付近に設置された吸い殻投入口に連通するダクトと、
当該ダクトの内部に設置されて、前記吸い殻投入口から投入されたタバコの吸い殻及び灰を回収器へと搬送する搬送手段と、
前記ダクトに穿設されて、該ダクト内の空気と共にタバコの煙及び粉塵を吸引する吸引孔と、
前記吸引孔を介して前記ダクトと連通し、該ダクトから吸引された空気から煙及び粉塵を分離する濾過器と、を有する集塵脱臭装置であって、
前記濾過器にはその排気口側にブロアモータを装備しており、当該ブロアモータによって該濾過器の吸引口側に連通するダクト内を負圧にし、当該ダクトに穿設した吸引孔から該ダクト内の煙と共に粉塵を吸引して、これら煙及び粉塵を分離した空気を該濾過器の排気口から前記遊技場室内に排気することを特徴とする集塵脱臭装置。
【請求項３】  請求項１又は請求項２に記載の集塵脱臭装置において、
空気と共にタバコの煙及び粉塵を吸引すべく穿設された吸引孔と濾過器との間に、粉塵回収装置を設けたことを特徴とする集塵脱臭装置。
【請求項４】  請求項１又は請求項２に記載の集塵脱臭装置において、
吸引孔より吸引された空気から煙及び粉塵を分離する濾過器は、集塵部と脱臭部とを有する多層構造からなり、
脱臭部は、酸性白土又は活性白土に石膏と水を添加して水和硬化させて成形した脱臭剤を有し、当該脱臭剤表面の微細孔で臭気を吸着することを特徴とする集塵脱臭装置。
【発明の詳細な説明】
【０００１】
【発明の属する技術分野】
本発明は、タバコによって汚染された室内の空気を吸引し、清浄化する集塵脱臭装置に関し、特に、濾過及び脱臭を施した後の空気を再び前記室内へと返還する集塵脱臭装置に関するものである。
【０００２】
【従来の技術】
パチンコ店等の遊技場においては喫煙習慣のある遊技客が多いことから、タバコの吸い殻処理の問題や、遊技場室内の空気が汚染されるという問題があった。
【０００３】
かかる問題の解決を図るべく従来から様々な技術が提案されており、これら従来技術は、「(1)吸い殻の収集」及び、「(2)室外への排煙」の２通りに大別することができる。
【０００４】
まず、上記「(1)吸い殻の収集」に関しては、例えば特許文献１に示す技術が提案されている。この特許文献１に記載の技術というのは、複数台を並設された遊技機の下部にコンベア等の搬送手段を設置すると共に、当該遊技機の正面部分に常時開口した状態にある吸い殻投下部を設けたものである。
【０００５】
そして、遊技者によって前記吸い殻投下部にタバコの吸い殻が投下された際には、この吸い殻を前記搬送手段によって収納槽へと搬送して、収集された吸い殻を集中的に回収するものである。
【０００６】
しかし、この特許文献１に記載の技術では、吸い殻や粒子の大きい灰は効率的に回収できるものの、粒子の細かい微細な灰は必ずしも確実には回収できないことがある。即ち、この特許文献１に記載の技術によれば、吸い殻及び灰を搬送手段の端部、即ち、搬送手段の下流側にまで搬送した後は、該吸い殻及び灰を収納槽へと自由落下させるものである。このとき、吸い殻及び粒子の大きい灰は収納槽へと落下するが、粒子の細かな灰は粉塵として、常時開口の吸い殻投下部や設置空間を構成するダクトのつなぎ目等から漏れて空気中に浮遊することとなり、結果として遊技場室内の粉塵濃度が上昇してしまうという問題が生じ得るものであった。
【０００７】
また、タバコは単に火が点いているというだけで、放置した状態（即ち、「置きタバコ」の状態）でも紫煙及び灰が発生することとなる。この灰は、粒子が細かいものについては僅かな微風によっても空気中に浮遊することとなり、粉塵となって室内に蔓延することとなる。更に、燃焼して灰となった後に当該灰が落下して燃焼する先端部分が新鮮な空気に晒されると燃焼が一層加速され、燃焼・紫煙及び灰の発生・粉塵の浮遊という作用が繰り返されることとなる。尚、火の点いたタバコを揉み消す際にも紫煙及び粉塵は発生することとなる。かかる状況で発生する紫煙及び粉塵についても回収すべきであるが、斯様な問題について上記特許文献１に記載の技術では何ら考慮されていない。
【０００８】
さらに、上記原因により発生した粉塵は、遊技場においては「パチンコ玉」に付着することとなる。即ち、パチンコ玉の表面には油が薄く塗布されており、相互に擦れ合うことによる摩耗を避け、遊技場内を円滑に循環させるものとしているのである。上記粉塵がパチンコ玉の表面に塗布された油に付着し、そのまま遊技機の内部へと進入した場合には、ハンマーによって盤面上に打ち出されることとなる。表面に粉塵が付着したパチンコ玉が遊技機内に進入した場合には、油と共に粉塵が遊技機内に付着するため、前記盤面上を始めとする遊技機内部の汚れの原因となるのは勿論のこと、汚れの程度によっては所謂「球すじ」が変化することともなり入賞率にも影響を与えかねないという問題がある。確かに現在では、遊技機の所謂「上皿」内にパチンコ玉以外の異物が進入した場合には、当該異物は除去されて盤面内に打ち出されることを未然に回避する構造を備えたものも使用されている。しかし、斯様な構造においても、パチンコ玉自体に付着した粉塵を除去することは不可能である。このような理由からも、遊技場内の粉塵濃度は成る可く低い方が望ましいのである。
【０００９】
一方、上記「(2)室外への排煙」に関しては、例えば特許文献２に示す技術が提案されている。この特許文献２に記載の技術というのは、例えば遊技客が対面するパチンコ台の上方に吸引ダクトを配置し、かかる吸引ダクトから遊技場室内の空気と共にタバコの煙を吸引し、屋外へと排気するものである。
【００１０】
しかし、この特許文献２に記載の技術では、煙と共に遊技場室内の空気を屋外へと排気してしまうので、排気した分の空気が屋外から室内へと流入することとなる。そのため、この室内へと流入する空気のために遊技場の室温が変化することとなり、当該遊技場に設置された空調機器への負荷が増大し、いきおい空調コストの増大へと繋がることとなるという問題があった。
【００１１】
本発明は上記の各問題に鑑みて、回収された吸い殻及び灰から紫煙と共に粉塵を吸引すると共に、濾過器を通すことによって清浄化した空気を、再び室内へと返還することによって上記問題を解消でき、その解決しようとする課題は以下の如くである。
【００１２】
【特許文献１】
特開平１０−３０５１６３（図１）
【特許文献２】
特公平６−４４９４８（第１図）
【００１３】
【発明の解決しようとする課題】
即ち本発明は、紫煙と共に粉塵を吸引することによって室内の粉塵濃度を低下させ、吸引した空気に対して濾過及び脱臭を施して、清浄化された空気を再び室内へと返還することによって、該室内の温度を調整する空調機器への負担を軽減することを目的とするものである。
【００１４】
【課題を解決するための手段】
上記課題を解決するために本発明の採った構成は、以下の如くである。
【００１５】
まず、請求項１に係る発明は、遊技場室内Ｒに設置される集塵脱臭装置１００において、個別の遊技機Ｍと対面する遊技者の近傍への配置となるよう前記遊技機Ｍに設置される灰皿３０と、当該灰皿３０に穿設されて、該灰皿３０内の空気と共にタバコの煙及び粉塵を吸引する吸引孔４０と、前記吸引孔４０を介して前記灰皿３０と連通し、該灰皿３０から吸引された空気から煙及び粉塵を分離する濾過器２０と、を有する集塵脱臭装置１００であって、前記濾過器２０にはその排気口側にブロアモータ２１を装備しており、当該ブロアモータ２１によって該濾過器２０の吸引口側に連通する灰皿３０内を負圧にし、当該灰皿３０に穿設した吸引孔４０から該灰皿３０内の煙と共に粉塵を吸引して、これら煙及び粉塵を分離した空気を該濾過器２０の排気口から前記遊技場室内Ｒに排気することを特徴とするものである。
【００１６】
即ち、本請求項に係る発明の集塵脱臭装置１００は、排気口側にブロアモータ２１を装備した濾過器２０にて空気と共に紫煙及び粉塵を吸引し、当該濾過器２０により空気から紫煙及び粉塵を分離すると共に脱臭して清浄化した後、この清浄化された空気のみを遊技場室内Ｒへと再び返還するものである。
【００１７】
そして、本請求項に係る発明においては、まず、吸い殻や灰が投入される灰皿３０は、各遊技機Ｍに対面する遊技者の近傍に配置されるように、当該遊技機Ｍに対し設置される。この灰皿３０内にはタバコの吸い殻や灰が投入されると共に、該灰皿３０に所謂「置きタバコ」を行った際には、燃焼中のタバコの先端から煙が立ち上ることとなる。当該灰皿３０には吸引孔４０が穿設されており、該吸引孔４０を介して濾過器２０へと連通することとなる。当該濾過器２０はその排気口側にブロアモータ２１を装備しており、該ブロアモータ２１を作動させることによって前記吸引孔４０が穿設された灰皿３０内は負圧状態となり、この負圧状態にある灰皿３０内に投入された粒子の細かな灰と、置きタバコの先端から立ち上る紫煙とを、前記吸引孔４０から空気と共に吸引することとなるのである。紫煙及び粉塵と共に吸引された空気は濾過器２０内へと送り込まれ、当該濾過器２０によって空気から粉塵及び紫煙を分離し脱臭して清浄化し、該濾過器２０の排気口から清浄化された空気を室内Ｒへと返還するのである。
【００１８】
従って本請求項に係る発明によれば、遊技機Ｍの灰皿３０から紫煙と共に粉塵をも吸引して濾過及び脱臭するので、遊技機Ｍに設置された灰皿３０内からの微細な粉塵の浮遊を抑えて遊技場室内Ｒにおける粉塵濃度の低下を図れるのは勿論のこと、清浄化された空気は再び遊技場室内Ｒへと返還されるので、紫煙を室外へそのまま排気する場合に比べ、空調機器へ与える負荷を低減させることが可能となるのである。
【００１９】
請求項２に係る発明は、遊技場室内Ｒに設置される集塵脱臭装置１００において、複数の遊技機Ｍが載置される台の下部に配置されて、前記遊技機Ｍ付近に設置された吸い殻投入口５０に連通するダクト６０と、当該ダクト６０の内部に設置されて、前記吸い殻投入口５０から投入されたタバコの吸い殻及び灰を回収器へと搬送する搬送手段７０と、前記ダクト６０に穿設されて、該ダクト６０内の空気と共にタバコの煙及び粉塵を吸引する吸引孔４０と、前記吸引孔４０を介して前記ダクト６０と連通し、該ダクト６０から吸引された空気から煙及び粉塵を分離する濾過器２０と、を有する集塵脱臭装置１００であって、前記濾過器２０にはその排気口側にブロアモータ２１を装備しており、当該ブロアモータ２１によって該濾過器２０の吸引口側に連通するダクト６０内を負圧にし、当該ダクト６０に穿設した吸引孔４０から該ダクト６０内の煙と共に粉塵を吸引して、これら煙及び粉塵を分離した空気を該濾過器２０の排気口から前記遊技場室内Ｒに排気することを特徴とするものである。
【００２０】
即ち、本請求項に係る発明の集塵脱臭装置１００は、請求項１に係る発明と同様に、排気口側にブロアモータ２１を装備した濾過器２０にて空気と共に紫煙及び粉塵を吸引し、当該濾過器２０により空気から紫煙及び粉塵を分離し脱臭して清浄化した後、この清浄化された空気のみを遊技場室内Ｒへと再び返還するものである。
【００２１】
そして、特に本請求項に係る発明においては、複数の遊技機Ｍが載置される台（カウンタ）の下部に、搬送手段７０を内側に装備するダクト６０を設置し、該ダクト６０と連通する吸い殻投入口５０を前記台に設けている。
【００２２】
そして、遊技機Ｍと対面する遊技者が吸い殻投入口５０に投入した吸い殻及び灰は、ダクト６０内の搬送手段７０によって該搬送手段７０の端部に設けた吸い殻回収器へと搬送されることとなる。前記ダクト６０には吸引孔４０が穿設されており、該吸引孔４０を介して濾過器２０へと連通することとなる。当該濾過器２０はその排気口側にブロアモータ２１を装備しており、該ブロアモータ２１を作動させることによって前記吸引孔４０が穿設されて該濾過器２０と相互に連通するダクト６０内は負圧状態となり、該吸引孔４０から空気と共に紫煙及び粉塵が吸引されることとなるのである。空気と共に吸引された紫煙及び粉塵は濾過器２０内へと送り込まれ、当該濾過器２０によって空気から粉塵及び紫煙を分離し脱臭して清浄化し、該濾過器２０の排気口から清浄化された空気を室内Ｒへと返還するのである。
【００２３】
従って本請求項に係る発明によれば、複数の遊技機Ｍにそれぞれ対面した複数の遊技者から、吸い殻投入口５０に対して吸い殻及び灰が投入された場合においても、これら吸い殻等をダクト６０内の搬送手段７０により回収器へと搬送されるので、当該吸い殻等を一括して処理できる。また、前記ダクト６０には吸引孔４０が穿設されているので、該吸引孔４０により前記ダクト６０から空気と共に紫煙及び粉塵を吸引して濾過及び脱臭するので、ダクト６０内からの微細な粉塵の浮遊を抑えることが可能となる。更に、前記ダクト６０に穿設された吸引孔４０から濾過器２０へと空気が吸引されることから、該ダクト６０内は負圧状態となり、吸い殻投入口５０付近の空気も吸引されることとなるので、該吸い殻投入口５０付近の「置きタバコ」からの紫煙及び粉塵も吸引できる。以上より、遊技場室内Ｒにおける粉塵濃度の低下を図れるのは勿論のこと、清浄化された空気は再び遊技場室内Ｒへと返還されるので、紫煙を室外へそのまま排気する場合に比べ、空調機器へ与える負荷を低減させることが可能となるのである。
【００２４】
請求項３に係る発明は、請求項１又は請求項２に記載の集塵脱臭装置１００において、空気と共にタバコの煙及び粉塵を吸引すべく穿設された吸引孔４０と濾過器２０との間に、粉塵回収装置８０を設けたことを特徴とするものである。
【００２５】
即ち本請求項に係る発明によれば、吸引孔４０から粉塵及び紫煙と共に吸引された空気を、濾過器２０への流入に先だって粉塵回収装置８０が粉塵の一部を回収するので、前記濾過器２０へ流入する空気中に含まれる粉塵の量を低減させることができる。そのため、吸引孔４０から前記濾過器２０へと連通する経路中における粉塵の蓄積を抑えることができると共に、該濾過器２０に対する粉塵の回収作業に要する回数も少なくすることが可能となるのである。
【００２６】
請求項４に係る発明は、請求項１又は請求項２に記載の集塵脱臭装置１００において、吸引孔４０より吸引された空気から煙及び粉塵を分離する濾過器２０は、集塵部２４と脱臭部２７とを有する多層構造からなり、脱臭部２７は、酸性白土又は活性白土に石膏と水を添加して水和硬化させて成形した脱臭剤２５を有し、当該脱臭剤２５表面の微細孔で臭気を吸着することを特徴とするものである。
【００２７】
即ち本請求項に係る発明によれば、濾過器２０を多層構造としたために各層ごとに部品の交換等ができて保守点検の効率化が可能となると共に、脱臭剤２５を安価な材料にて構成したことから、本装置の稼動に要するランニングコストの低廉化を図ることが可能となるのである。
【００２８】
【発明の実施の形態】
以下、本発明の実施形態を後述の好適な実施例と共に説明する。
【００２９】
本発明に係る集塵脱臭装置１００は、室内Ｒの天井又は壁面に「吸引部１０」設置し、或いは、灰皿３０又は吸い殻搬送ダクト６０に「吸引孔４０」を穿設して、これら吸引部１０又は吸引孔４０から粉塵及び紫煙と共に吸引された空気を濾過器２０へと流入させ、当該濾過器２０にて粉塵及び紫煙だけを取り除くと共に空気の脱臭を行い、清浄化された空気を再び室内Ｒへと返還するものである。以下、各構成要件毎に説明する。
【００３０】
まず、本発明において吸引部１０というのは、室内Ｒの天井又は壁面に設置され、其処から空気と共に粉塵及び紫煙を吸引するものである。この吸引部１０の形状は特段限定されるものではないが、粉塵及び紫煙を吸引可能な形状及び構造すべきである。具体的には、吸引部１０本体を箱状に構成すると共に、その開口部分にグリル形状のカバー部材を設けることが考えられる。
【００３１】
一方、吸引孔４０というのは、タバコの吸い殻回収器や灰皿３０、或いは、吸い殻搬送ダクト６０において穿設され、其処から空気と共に粉塵及び紫煙を吸引するものである。この吸引孔４０の形状は特段限定されるものではないが、粉塵及び紫煙は通過可能で、且つ、タバコの吸い殻自体は進入できない大きさとすべきである。具体的には、例えば、直径７mm以下の大きさの貫通孔を穿設することが好適と考えられる。この吸引孔４０は、「経路（後述する）」を介して濾過器２０へと連通することとなる。
【００３２】
本発明において濾過器２０というのは、粉塵を濾し取る集塵部２４と吸引された空気の臭いの素を吸着する脱臭部２７とを濾過経路上に配置してなる多層構造のものであり、その排気口側にファンを装着したブロアモータ２１を装備するものであり、清浄化した後の空気が再び返還される室内Ｒに設置されるものである。
【００３３】
まず、集塵部２４は吸引孔４０より吸引された空気に含まれる粉塵を濾し取るものであり、綿状やペーパー状の瀘材を濾過経路中に配置するものである。この集塵部２４においては、比較的粒子の大きい粉塵を捕捉する集塵フィルター２２と、紫煙の原因となる極めて粒子の細かい粉塵を捕捉する脱煙フィルター２３とを、それぞれ設けることが好適と考えられる。
【００３４】
まず、集塵フィルター２２にあっては、比較的粒子の大きい粉塵を捕捉できればよく、且つ、濾過器２０全体の圧力損失を抑える必要性から、比較的「目の粗い瀘材」で充分と考えられる。一方、脱煙フィルター２３にあっては、紫煙の原因となる極めて粒子の細かい粉塵をも捕捉可能なフィルターを用いる必要がある。例えば、グラスウールで構成されたペーパー状の瀘材を相互に折り畳み、多層構造としたフィルターを用いることが考えられる。
【００３５】
次に、脱臭部２７は吸引孔４０より吸引された空気の臭いの素を捕捉するものであり、箱体の中に脱臭剤２５を投入してなるものである。この脱臭剤２５は、本発明では「モンモリロナイト」を主成分とするものを使用する。詳細には、吸着作用を有するモンモリロナイトそのものや、酸性白土（モンモリロナイトが主成分）、活性白土（酸性白土を鉱酸で処理した白土）に対し、石膏と多量の水を添加して水和硬化させ、多孔質形状に構成するものである。
【００３６】
具体的には、活性白土等に石膏と多量の水を添加し、好ましくは、吸着力が高い活性アルミナや、炭酸カルシウム、酸化マグネシウムの如き活性化促進剤を添加して水和硬化させると共に、図１３に示す形態の如くタブレット状に形成し、このタブレット状の脱臭剤２５を濾過器２０脱臭部２７における箱体に投入して用いるのが好適と考えられる。
【００３７】
なお、この脱臭部２７においては２つの箱体を設けると共に、一方の箱体には前記モンモリロナイトを主成分とするタブレットを投入し、他方の箱体には活性炭２６を投入して、前記モンモリロナイトと前記活性炭２６とを併用することにより、脱臭効果を上げることが可能となる。また、モンモリロナイトを主成分とするタブレットと粒状の活性炭２６とを相互に混ぜ合わせ、これを脱臭部２７における１つの箱体に投入して空気の脱臭を行うものとしてもよい。
【００３８】
上記の如く構成することにより、紫煙を含んだ空気でさえもほぼ無臭化を図ることができ、清浄化した空気を再び室内Ｒへと返還する本発明においては特に有効である。
【００３９】
ここで、上記濾過器２０は室内Ｒに設置するものと説明したが、本集塵脱臭装置１００により空気の清浄化を行う室内Ｒの設置空間の都合や、或いは、室内Ｒ美観の都合上、上記濾過器２０は屋根裏や屋外に設置すると共に、清浄化した空気は当該室内Ｒへと返還するよう構成してもよい。
【００４０】
なお、吸引孔４０と濾過器２０とを相互に接続する経路はその全体を密閉状態とし、粉塵及び紫煙が吸引される吸引孔４０以外からは空気が進入しないよう構成するものである。具体的には、合成樹脂製のホース９０を用いることによって配管の取り回しが容易となり、尚且つ、設備重量の軽量化を図ることができる。
【００４１】
また、この経路中には、図９又は図１０に示すように、粉塵回収装置８０を配置して、該粉塵回収装置８０により予め粉塵の量を低減させた上で濾過器２０へと流入させることも考えられる。このように粉塵の量を低減させることにより、濾過器２０でのフィルター交換等による粉塵回収の頻度を減らすことができると共に、前記経路内における粉塵の堆積を抑えることが可能となるからである。具体的には、「サイクロン」方式の粉塵回収装置８０をそれぞれの経路毎に設置することが考えられる。即ち、濾過器２０のブロアモータ２１によって吸引孔４０から吸引された粉塵を、空気と共にサイクロンドラム内において周回させ、遠心力によって空気と粉塵とを分離するのである。尚、当該粉塵回収装置８０を設けなくとも、本発明に係る集塵脱臭装置１００は、吸引孔４０から吸引された空気から粉塵の除去すると共に脱臭を行うことは可能であることも付言する。
【００４２】
以下、本発明に係る技術的思想を具現化した実施例を説明する。
【００４３】
（実施例１）
図１は、本発明に係る集塵脱臭装置１００を、飲食店の室内Ｒに設置してなる実施例１を示すものである。
【００４４】
本実施例に係る集塵脱臭装置１００は、図１又は図２に示すように、飲食店等の室内Ｒに設置されるものであって、該室内Ｒの天井に設けた吸引部１０から前記室内Ｒの空気と共に粉塵及び紫煙が吸引され、同じく天井に設置された濾過器２０にて清浄化を行った後、排気部から前記室内Ｒへと排気するものである。尚、本実施例において濾過器２０は天井に設置するものとして図示したが、本発明は特段この形態に限定されるものではなく、前記濾過器２０を天井裏に設置することにより、室内美観を向上させるものとしてもよい。
【００４５】
本実施例において濾過器２０は、図１１又は図１２に示す構造となっており、集塵部２４と脱臭部２７とを有するものである。まず集塵部２４は、集塵フィルター２２及び脱煙フィルター２３を有するものであり、これら２つのフィルターにて前記脱臭部２７を挟んで配置している。集塵フィルター２２には綿状のフィルターが装着されており、該フィルターにて比較的粒子の大きい粉塵を回収することとなる。一方、脱煙フィルター２３には、グラスウールで構成されたペーパー状の瀘材を相互に折り畳み、多層構造としたフィルターが装着されており、極めて粒子の細かい粉塵を捕捉することとなる。
【００４６】
続いて、脱臭部２７は２つの箱体を有するものであり、一方の箱体に対しては、活性白土等に石膏と多量の水を添加して水和硬化させると共に図１３に示す形態の如くタブレット状に形成した脱臭剤２５を投入し、他方の箱体に対しては活性炭２６を投入して、濾過器２０内へ収納している。当該脱臭部２７内の脱臭剤２５及び活性炭２６に空気中の臭いの素となる微粒子を吸着させ、空気中に含まれる臭気を低減させることとなる。
【００４７】
上記構成により、次述の作用を奏することとなる。即ち、室内Ｒの天井に設置された吸引部１０から、該室内Ｒの粉塵及び紫煙が空気と共に濾過器２０のブロアモータ２１によって吸引され、空気と共に吸引された粉塵及び紫煙は濾過器２０の吸入口へと吸入されることとなる。空気と共に濾過器２０内へと吸入された粉塵及び粉塵は、まず、集塵部２４の集塵フィルター２２にて比較的大きな粒子の粉塵を捕捉して回収することとなる。その後、脱臭部２７にて臭気の除去を行うと共に脱煙フィルター２３にて紫煙の原因である微粒子を捕捉して空気の清浄化を完了させ、清浄化された空気を室内Ｒへと返還することとなるのである。
【００４８】
そして、本実施例に係る集塵脱臭装置１００によれば、吸引部１０が紫煙と共に粉塵を吸引することとなって室内Ｒの粉塵濃度を低下させ、尚且つ、濾過及び脱臭することによって清浄化された空気を再び室内Ｒへと返還することとなり、該室内Ｒの温度を調整する空調機器への負担を軽減することが可能となるのである。
【００４９】
（実施例２）
図３は、遊技機Ｍに対し、本発明に係る集塵脱臭装置１００を設置した実施例２を示すものである。
【００５０】
本実施例に係る集塵脱臭装置１００は、図３に示すように、遊技機Ｍの正面部分、即ち当該遊技機Ｍに対面するであろう遊技者の近傍への配置となる位置に灰皿３０を設置すると共に、当該灰皿３０に吸引孔４０を穿設し、当該吸引孔４０と前記遊技機Ｍ下部に設置された濾過器２０とを合成樹脂製のホース９０にて接続してなるものである。尚、本実施例における灰皿３０は、図３に示すように、一部が開口したドーム状のフタを装備するものであり、前記濾過器２０の排気口側に装備したブロアモータ２１が作動することによって、前記ドーム状に係るフタの内側が負圧状態となり、当該灰皿３０に穿設した吸引孔４０から該灰皿３０内の空気と共に粉塵及び紫煙を吸引することとなる。
【００５１】
本実施例において濾過器２０は、図１１又は図１２に示すように、集塵部２４と脱臭部２７とを有するものである。まず集塵部２４は、集塵フィルター２２及び脱煙フィルター２３を有するものであり、これら２つのフィルターにて前記脱臭部２７を挟んで配置している。集塵フィルター２２には綿状のフィルターが装着されており、該フィルターにて比較的粒子の大きい粉塵を回収することとなる。一方、脱煙フィルター２３には、グラスウールで構成されたペーパー状の瀘材を相互に折り畳み、多層構造としたフィルターが装着されており、極めて粒子の細かい粉塵を捕捉することとなる。
【００５２】
続いて、脱臭部２７は２つの箱体を有するものであり、一方の箱体に対しては、活性白土等に石膏と多量の水を添加して水和硬化させると共に図１３に示す形態の如くタブレット状に形成した脱臭剤２５を投入し、他方の箱体に対しては活性炭２６を投入して、濾過器２０内へ収納している。当該脱臭部２７内の脱臭剤２５及び活性炭２６に空気中の臭いの素となる微粒子を吸着させ、空気中に含まれる臭気を低減させることとなる。
【００５３】
上記構成により、次述の作用を奏することとなる。即ち、遊技機Ｍの灰皿３０に穿設された吸引孔４０から、該灰皿３０内の粉塵及び紫煙が空気と共に濾過器２０のブロアモータ２１によって吸引されることとなる。空気と共に吸引された粉塵及び紫煙は合成樹脂製のホース９０からなる経路を通過して、濾過器２０の吸入口へと吸入されることとなる。空気と共に濾過器２０内へと吸入された粉塵及び粉塵は、まず、集塵部２４の集塵フィルター２２にて比較的大きな粒子の粉塵を捕捉して回収することとなる。その後、脱臭部２７にて臭気の除去を行うと共に脱煙フィルター２３にて紫煙の原因である微粒子を捕捉して空気の清浄化を完了させ、清浄化された空気を遊技場室内Ｒへと返還することとなるのである。
【００５４】
そして、本実施例に係る集塵脱臭装置１００によれば、紫煙と共に粉塵を吸引することとなって遊技場室内Ｒの粉塵濃度を低下させ、尚且つ、濾過及び脱臭することによって清浄化された空気を再び遊技場室内Ｒへと返還することとなって該室内Ｒの温度を調整する空調機器への負担を軽減することが可能となるのである。
【００５５】
なお、本実施例での遊技機Ｍは、図３において「パチンコ機」として図示したが、本発明において遊技機Ｍというのは、特段「パチンコ機」に限定されるものではなく、カジノテーブルやビリヤード台、或いは、ボーリング場におけるスコア表示・操作パネル付近など、通常、遊技者の近傍に灰皿３０が置かれたり、或いは、備え付けられたりするものを含むものである。
【００５６】
（実施例３）
図４は、複数の遊技機Ｍ（パチンコ機）が列状に並設されて構成され、「島」と呼ばれる一群の遊技機Ｍの集合体に対し、本発明に係る集塵脱臭装置１００を設置した実施例３を示すものである。
【００５７】
本実施例では、図４又は図５に示すように、複数の遊技機Ｍが並接状態で載置されるカウンタの下部にダクト６０を設置すると共に、該ダクト６０に連通する吸い殻投入口５０を前記カウンタにおける遊技機Ｍ正面部付近に穿設する。
【００５８】
上記ダクト６０内には、図４、図５及び図８に示すように、ベルトコンベアからなる搬送手段７０を有しており、該コンベアにて、前記吸い殻投入口５０より投入された吸い殻及び灰を、ダクト６０端部に設けた吸い殻回収器へと搬送するものとしている。
【００５９】
当該ダクト６０には、「島」の内側方向から吸引孔４０が穿設されており、当該吸引孔４０から該ダクト６０内の空気と共に粉塵及び紫煙が吸引され、「島」上部に設置された濾過器２０が吸入することとなる。尚、吸引孔４０を介して連通するダクト６０と濾過器２０との間は、合成樹脂製のホース９０にて接続している。詳細には、図７及び図８に示すように、まず、カウンタを構成するダクト６０には直径７mmの貫通孔（図示しない）を直線上に複数穿設する。この直線上に穿設した複数の貫通孔にスリットを重ね合わせるようにして、該スリットを備えた箱体を前記ダクト６０に対して貼着固定すると共に、該箱体の他方の面に対しては、エルボ等の各種部材を介して濾過器２０に連通するホース９０へと接続するのである。
【００６０】
本実施例において濾過器２０は、図１１又は図１２に示すように、集塵部２４と脱臭部２７とを有するものである。まず集塵部２４は、集塵フィルター２２及び脱煙フィルター２３を有するものであり、これら２つのフィルターにて前記脱臭部２７を挟んで配置している。集塵フィルター２２には綿状のフィルターが装着されており、該フィルターにて比較的粒子の大きい粉塵を回収することとなる。一方、脱煙フィルター２３には、グラスウールで構成されたペーパー状の瀘材を相互に折り畳み、多層構造としたフィルターが装着されており、極めて粒子の細かい粉塵を捕捉することとなる。
【００６１】
続いて、脱臭部２７は２つの箱体を有するものであり、一方の箱体に対しては、活性白土等に石膏と多量の水を添加して水和硬化させると共に図１３に示す形態の如くタブレット状に形成した脱臭剤２５を投入し、他方の箱体に対しては活性炭２６を投入して、濾過器２０内へ収納している。当該脱臭部２７内の脱臭剤２５及び活性炭２６に空気中の臭いの素となる微粒子を吸着させ、空気中に含まれる臭気を低減させることとなる。
【００６２】
上記構成により、次述の作用を奏することとなる。即ち、遊技機Ｍに対面する遊技者により、吸い殻投入口５０を介してカウンタ下部のダクト６０内へと投入されたタバコの吸い殻及び灰は、当該ダクト６０内の搬送手段７０によって該ダクト６０端部に配置した吸い殻回収器へと搬送されると共に、該ダクト６０に穿設された吸引孔４０から、該ダクト６０内の粉塵及び紫煙が空気と共に濾過器２０のブロアモータ２１によって吸引されることとなる。空気と共に吸引された粉塵及び紫煙は合成樹脂製のホース９０からなる経路を通過して、濾過器２０の吸入口へと吸入されることとなる。空気と共に濾過器２０内へと吸入された粉塵及び粉塵は、まず、集塵部２４の集塵フィルター２２にて比較的大きな粒子の粉塵を捕捉して回収することとなる。その後、脱臭部２７にて臭気の除去を行うと共に脱煙フィルター２３にて紫煙の原因である微粒子を捕捉して空気の清浄化を完了させ、清浄化された空気を室内Ｒへと返還することとなるのである。
【００６３】
そして、本実施例に係る集塵脱臭装置１００によれば、紫煙と共に粉塵を吸引することとなって室内Ｒの粉塵濃度を低下させ、尚且つ、濾過及び脱臭することによって清浄化された空気を再び室内Ｒへと返還することとなって該室内Ｒの温度を調整する空調機器への負担を軽減することが可能となるのである。
【００６４】
【発明の効果】
本発明は、上記構成を採ることによって下記の如き効果を奏することとなる。
【００６５】
まず、請求項１に係る発明は、遊技場室内に設置される集塵脱臭装置において、個別の遊技機と対面する遊技者の近傍への配置となるよう前記遊技機に設置される灰皿と、当該灰皿に穿設されて、該灰皿内の空気と共にタバコの煙及び粉塵を吸引する吸引孔と、前記吸引孔を介して前記灰皿と連通し、該灰皿から吸引された空気から煙及び粉塵を分離する濾過器と、を有する集塵脱臭装置であって、前記濾過器にはその排気口側にブロアモータを装備しており、当該ブロアモータによって該濾過器の吸引口側に連通する灰皿内を負圧にし、当該灰皿に穿設した吸引孔から該灰皿内の煙と共に粉塵を吸引して、これら煙及び粉塵を分離した空気を該濾過器の排気口から前記遊技場室内に排気することに、その構成上の特徴を有するものである。
【００６６】
そして、本請求項に係る発明によれば、遊技機の灰皿から紫煙と共に粉塵をも吸引して濾過及び脱臭するので、遊技機に設置された灰皿内からの微細な粉塵の浮遊を抑えて遊技場室内における粉塵濃度の低下を図れるのは勿論のこと、清浄化された空気は再び遊技場室内へと返還されるので、紫煙を室外へそのまま排気する場合に比べ、空調機器へ与える負荷を低減させることが可能となるという効果を奏するのである。
【００６７】
請求項２に係る発明は、遊技場室内に設置される集塵脱臭装置において、複数の遊技機が載置される台の下部に配置されて、前記遊技機付近に設置された吸い殻投入口に連通するダクトと、当該ダクトの内部に設置されて、前記吸い殻投入口から投入されたタバコの吸い殻及び灰を回収器へと搬送する搬送手段と、前記ダクトに穿設されて、該ダクト内の空気と共にタバコの煙及び粉塵を吸引する吸引孔と、前記吸引孔を介して前記ダクトと連通し、該ダクトから吸引された空気から煙及び粉塵を分離する濾過器と、を有する集塵脱臭装置であって、前記濾過器にはその排気口側にブロアモータを装備しており、当該ブロアモータによって該濾過器の吸引口側に連通するダクト内を負圧にし、当該ダクトに穿設した吸引孔から該ダクト内の煙と共に粉塵を吸引して、これら煙及び粉塵を分離した空気を該濾過器の排気口から前記遊技場室内に排気することに、その構成上の特徴を有するものである。
【００６８】
そして、本請求項に係る発明によれば、複数の遊技機にそれぞれ対面した複数の遊技者から、吸い殻投入口に対して吸い殻及び灰が投入された場合においても、これら吸い殻等をダクト内の搬送手段により回収器へと搬送されるので、当該吸い殻等を一括して処理できる。また、前記ダクトには吸引孔が穿設されているので、該吸引孔により前記ダクトから空気と共に紫煙及び粉塵を吸引して濾過及び脱臭するので、ダクト内からの微細な粉塵の浮遊を抑えることが可能となる。更に、前記ダクトに穿設された吸引孔から濾過器へと空気が吸引されることから、が該ダクト内は負圧状態となり、吸い殻投入口付近の空気も吸引されることとなるので、該吸い殻投入口付近の「置きタバコ」からの紫煙及び粉塵も吸引できる。以上より、遊技場室内における粉塵濃度の低下を図れるのは勿論のこと、清浄化された空気は再び遊技場室内へと返還されるので、紫煙を室外へそのまま排気する場合に比べ、空調機器へ与える負荷を低減させることが可能となるという効果を奏するのである。
【００６９】
請求項３に係る発明は、請求項１又は請求項２に記載の集塵脱臭装置において、空気と共にタバコの煙及び粉塵を吸引すべく穿設された吸引孔と濾過器との間に、粉塵回収装置を設けたことに、その構成上の特徴を有するものである。
【００７０】
そして、本請求項に係る発明によれば、吸引孔から粉塵及び紫煙と共に吸引された空気を、濾過器への流入に先だって粉塵回収装置が粉塵の一部を回収するので、前記濾過器へ流入する空気中に含まれる粉塵の量を低減させることができる。そのため、吸引孔から前記濾過器へと連通する経路中における粉塵の蓄積を抑えることができると共に、該濾過器に対する粉塵の回収作業に要する回数も少なくすることが可能となるという効果を奏するのである。
【００７１】
請求項４に係る発明は、請求項１又は請求項２に記載の集塵脱臭装置において、吸引孔より吸引された空気から煙及び粉塵を分離する濾過器は、集塵部と脱臭部とを有する多層構造からなり、脱臭部は、酸性白土又は活性白土に石膏と水を添加して水和硬化させて成形した脱臭剤を有し、当該脱臭剤表面の微細孔で臭気を吸着することに、その構成上の特徴を有するものである。
【００７２】
そして、本請求項に係る発明によれば、濾過器を多層構造としたために各層ごとに部品の交換等ができて保守点検の効率化が可能となると共に、脱臭剤を安価な材料にて構成したことから、本装置の稼動に要するランニングコストの低廉化を図ることが可能となるという効果を奏するのである。
【図面の簡単な説明】
【図１】実施例１に係る集塵脱臭装置を設置した室内を側方から示した図である。
【図２】図１に示す室内を上方より示した図である。
【図３】実施例２に係る集塵脱臭装置を設置した遊技機を斜め正面から示した図である。
【図４】実施例３に係る集塵脱臭装置を設置した遊技機を正面から示した図である。
【図５】図４に示す遊技機を上方から示した図である。
【図６】図３に示す遊技機を側方から示した図である。
【図７】図４に示す集塵脱臭装置における吸引孔部分の分解構造図である。
【図８】図７に示す吸引孔部分を組み付けて、吸引孔付近を中心とした断面を示す図である。
【図９】図４に示す集塵脱臭装置に対し、粉塵回収装置を付加した遊技機を正面から示した図である。
【図１０】図５に示す集塵脱臭装置に対し、粉塵回収装置を付加した遊技機を上方から示した図である。
【図１１】集塵部及び脱臭部を引き出した状態にて図３及び図４に示す遊技機が装備する濾過器を示す斜め上方から示した図である。
【図１２】図１１に示す濾過器における濾過の過程を模式的に示す断面図である。
【図１３】図８に示す濾過器の脱臭部に投入されるタブレット状に形成した脱臭剤を、（ａ）側方及び（ｂ）斜め上方より示した図である。
【符号の説明】
１０    吸引部
２０    濾過器
２１    ブロアモータ
２２    集塵フィルター
２３    脱煙フィルター
２４    集塵部
２５    脱臭剤
２６    活性炭
２７    脱臭部
３０    灰皿
４０    吸引孔
５０    吸い殻投入口
６０    ダクト
７０    搬送手段
８０    粉塵回収装置
９０    ホース
１００  集塵脱臭装置
Ｃ      イス
Ｍ      遊技機
Ｒ      室内
Ｔ      テーブル
【手続補正２】
【補正対象書類名】図面
【補正対象項目名】図１
【補正方法】変更
【補正の内容】
【図１】
2004267948.tif 000001
【手続補正３】
【補正対象書類名】図面
【補正対象項目名】図２
【補正方法】変更
【補正の内容】
【図２】
2004267948.tif 000002
【手続補正４】
【補正対象書類名】図面
【補正対象項目名】図３
【補正方法】変更
【補正の内容】
【図３】
2004267948.tif 000003
【手続補正５】
【補正対象書類名】図面
【補正対象項目名】図４
【補正方法】変更
【補正の内容】
【図４】
2004267948.tif 000004
【手続補正６】
【補正対象書類名】図面
【補正対象項目名】図５
【補正方法】変更
【補正の内容】
【図５】
2004267948.tif 000005
【手続補正７】
【補正対象書類名】図面
【補正対象項目名】図６
【補正方法】変更
【補正の内容】
【図６】
2004267948.tif 000006
【手続補正８】
【補正対象書類名】図面
【補正対象項目名】図９
【補正方法】変更
【補正の内容】
【図９】
2004267948.tif 000007
【手続補正９】
【補正対象書類名】図面
【補正対象項目名】図１０
【補正方法】変更
【補正の内容】
【図１０】
2004267948.tif 000008
【手続補正１０】
【補正対象書類名】図面
【補正対象項目名】図１１
【補正方法】変更
【補正の内容】
【図１１】
2004267948.tif 000009